(57)【要約】【課題】複数種類、複数台数のビデオ機器を使用者の要求に応じて自動的に使い分ける放送蓄積視聴装置を提供する。【解決手段】ネットワークと、該ネットワークを管理するネットワーク管理装置と、ネットワークに接続される複数種類のビデオ装置を備え、複数種類のビデオ装置の各々は自己の状態をネットワークに送出し、ネットワーク管理装置は状態を記憶し、複数種類のビデオ装置の各々は他のビデオ装置の状態をネットワーク管理装置に問い合わせてから、ネットワーク管理装置より得られる他のビデオ装置の状態に基づいて次に通信をするビデオ装置を決定する。【選択図】  図１
2008219929.tif 000002
【特許請求の範囲】
【請求項１】
放送番組を蓄積するための複数の放送蓄積コンポーネントと、
放送番組を表示するための放送表示コンポーネントと、
前記複数の放送蓄積コンポーネントに蓄積されている番組の情報を管理するための管理コンポーネントと、
前記複数の放送蓄積コンポーネントと、前記放送表示コンポーネントと、前記管理コンポーネントとを接続するための受信側ネットワークとを備え、
前記複数の放送蓄積コンポーネントは、自己が蓄積している放送番組の情報を前記管理コンポーネントに送信し、
前記管理コンポーネントは前記情報を蓄積し、
前記放送表示コンポーネントは、前記ネットワークに接続された前記放送蓄積コンポーネントが蓄積している番組情報を前記管理コンポーネントに問い合わせ、自己が表示を所望する蓄積番組を蓄積している放送蓄積コンポーネントを特定し、該特定した放送蓄積コンポーネントから該所望の番組を取得し再生表示することを特徴とする放送蓄積表示装置。
【請求項２】
放送番組を蓄積するための複数の放送蓄積コンポーネントと、
放送番組を表示するための放送表示コンポーネントと、
前記複数の放送蓄積コンポーネントと、前記放送表示コンポーネントとを接続するための受信側ネットワークとを備え、
前記放送表示コンポーネントは、前記ネットワークに接続された前記放送蓄積コンポーネントが蓄積している番組情報を前記蓄積コンポーネントに問い合わせ、自己が表示を所望する蓄積番組を蓄積している放送蓄積コンポーネントを特定し、該特定した放送蓄積コンポーネントから該所望の番組を取得し再生表示することを特徴とする放送蓄積表示装置。
【請求項３】
放送番組を受信するための放送受信コンポーネントと、
放送番組を蓄積するための複数の放送蓄積コンポーネントと、
前記放送蓄積コンポーネントを管理するための管理コンポーネントと、
前記放送受信コンポーネントと、前記複数の放送蓄積コンポーネントと、前記管理コンポーネントとを接続する受信側ネットワークとを備え、
前記複数の放送蓄積コンポーネントは自己の性能情報及び動作情報を前記ネットワークを通して前記管理コンポーネントに送信し、
前記管理コンポーネントは前記性能情報及び動作情報を蓄積し、
前記放送受信コンポーネントは、前記管理コンポーネントに他のコンポーネントの性能情報及び動作情報を問い合わせ、該性能情報及び動作情報に基づいて制御対象の放送蓄積コンポーネントをユーザの選択を得ずに自動的に特定し制御する際に、前記ネットワーク中に前記放送受信コンポーネントが受信する放送番組を１つの放送蓄積コンポーネントで蓄積完了できる十分な容量を持った放送蓄積コンポーネントを特定し制御することを特徴とする放送受信蓄積装置。
【請求項４】
放送番組を受信するための放送受信コンポーネントと、
放送番組を蓄積するための複数の放送蓄積コンポーネントと、
前記放送受信コンポーネントと、前記複数の放送蓄積コンポーネントとを接続する受信側ネットワークとを備え、
前記放送受信コンポーネントは、前記蓄積コンポーネントに該コンポーネントの性能情報及び動作情報を問い合わせ、該性能情報及び動作情報に基づいて制御対象の放送蓄積コンポーネントを決定する際に、前記ネットワーク中に前記放送受信コンポーネントが受信する放送番組を１つの放送蓄積コンポーネントで蓄積完了できる十分な容量を持った放送蓄積コンポーネントを特定し制御することを特徴とする放送受信蓄積装置。
【発明の詳細な説明】
【技術分野】
【０００１】
本発明は、放送蓄積視聴装置に関するものである。
【背景技術】
【０００２】
従来技術の放送蓄積及び視聴の方法を図１１に示す。従来は、放送番組の蓄積を行うのに、アンテナ等１０１で電波を受信した信号をビデオデッキ１０２等の受信装置１０４で復調し、蓄積装置１０５に入力し、放送番組の蓄積を行う。また蓄積された放送番組の視聴を行うために、蓄積先のビデオデッキ１０２を操作し、その出力をビデオケーブル等でTV等の視聴装置１０３に入力して表示を行う。
【発明の開示】
【発明が解決しようとする課題】
【０００３】
従来の放送蓄積および蓄積された放送の視聴では、放送の蓄積媒体であるビデオカセット等を必要に応じて交換することが必要である。また複数の蓄積装置を持つ場合には、それらと視聴装置との間の配線が複雑になるという問題があった。更に、複数の蓄積装置があっても使用者が放送番組を記録するための蓄積装置や放送番組を再生するための蓄積装置を決めなければならないという問題があった。
【０００４】
本発明は、複数種類、複数台数のビデオ機器を使用者の要求に応じて自動的に使い分ける放送蓄積視聴装置を提供することを目的とする。
【課題を解決するための手段】
【０００５】
本発明による放送蓄積視聴装置は、ネットワークと、該ネットワークを管理するネットワーク管理装置と、前記ネットワークに接続される複数種類のビデオ装置を備え、前記複数種類のビデオ装置の各々は自己の状態を前記ネットワークに送出し、前記ネットワーク管理装置は前記状態を記憶し、前記複数種類のビデオ装置の各々は他のビデオ装置の前記状態を前記ネットワーク管理装置に問い合わせてから、前記ネットワーク管理装置より得られる前記他のビデオ装置の前記状態に基づいて次に通信をするビデオ装置を決定することを特徴とする。
【０００６】
また、本発明による放送蓄積視聴装置は、ネットワークと、前記ネットワークに接続される複数種類のビデオ装置を備え、前記複数種類のビデオ装置の各々は他のビデオ装置の状態を前記ネットワークを通して前記他のビデオ装置に問い合わせてから、前記他のビデオ装置より得られる前記他のビデオ装置の前記状態に基づいて次に通信をするビデオ装置を決定することを特徴とする。
【０００７】
更に本発明による放送蓄積視聴装置は、上記の放送蓄積視聴装置において、前記ネットワークに接続される同一種類のビデオ装置が複数あることを特徴とする。
【０００８】
本発明によるネットワーク管理装置は、複数種類のビデオ装置が接続されるネットワークに接続され、前記ビデオ装置から前記ネットワークに前記ビデオ装置の状態が送出された時に該状態を記憶する手段と、前記ビデオ装置から前記状態の問い合わせがある時に前記状態を送出する手段とを備えることを特徴とする。
【０００９】
また、本発明によるネットワーク管理装置は、上記の放送蓄積装置において、前記ネットワークに接続される同一種類のビデオ装置が複数あることを特徴とする。
【００１０】
本発明によるビデオ装置は、ネットワークを管理するネットワーク管理装置と複数種類のビデオ装置とが接続されるネットワークに接続され、自己の状態を前記ネットワークに送出する手段と、他のビデオ装置の状態を前記ネットワーク管理装置に問い合わせてから、前記ネットワーク管理装置より得られる前記他のビデオ装置の状態に基づいて次に通信をする装置を決定する手段とを備えることを特徴とする。
【００１１】
また、本発明によるビデオ装置は、複数種類のビデオ装置が接続されるネットワークに接続され、自己の状態を前記ネットワークに送出する手段と、他のビデオ装置の状態を他のビデオ装置に問い合わせてから、前記他のビデオ装置より得られる前記他のビデオ装置の状態に基づいて次に通信をする装置を決定する手段とを備えることを特徴とする。
【００１２】
更に、本発明によるビデオ装置は、上記のビデオ装置において、前記ネットワークに接続される同一種類のビデオ装置が複数あることを特徴とする。
【００１３】
更に、本発明によるビデオ装置は、複数のビデオ機器が接続されるネットワークに接続され、送り元ノードＩＤ、送り元サブノードＩＤ、送り先ノードＩＤ、送り先サブノードＩＤ、要求番号、メッセージＩＤ、メッセージ長が含まれるプロトコルヘッダとメッセージボディとを有するメッセージを送受信する手段を備えることを特徴とする。
【００１４】
更に、本発明によるビデオ装置は、上記のビデオ機器において、前記メッセージは更にアディショナルインフォメーションを有し、前記プロトコルヘッダは更にアディショナルインフォメーション長を含むことを特徴とする。
【００１５】
更に、本発明によるビデオ装置は、上記のビデオ機器において、前記メッセージは共通インターフェースメッセージであることを特徴とする。
【００１６】
更に、本発明によるビデオ装置は、上記のビデオ機器において、前記メッセージはコンポーネント管理インターフェースメッセージであることを特徴とする。
【００１７】
更に、本発明によるビデオ装置は、上記のビデオ機器において、前記メッセージは第２種のコンポーネント管理インターフェースメッセージであることを
特徴とする。
【００１８】
更に、本発明によるビデオ装置は、上記のビデオ機器において、前記メッセージはリソース管理インターフェースメッセージであることを特徴とする。
【００１９】
更に、本発明によるビデオ装置は、上記のビデオ機器において、前記メッセージはピン接続インターフェースメッセージであることを特徴とする。
【００２０】
更に、本発明によるビデオ装置は、上記のビデオ機器において、前記メッセージは第２種のピン接続インターフェースメッセージであることを特徴とする。
【００２１】
更に、本発明によるビデオ装置は、上記のビデオ機器において、前記メッセージはストリーミングインターフェースメッセージであることを特徴とする。
【００２２】
更に、本発明によるビデオ装置は、上記のビデオ機器において、前記メッセージはファイル管理インターフェースメッセージであることを特徴とする。
【００２３】
更に、本発明によるビデオ装置は、上記のビデオ機器において、前記メッセージはモニターインターフェースメッセージであることを特徴とする。
【００２４】
更に、本発明によるビデオ装置は、上記のビデオ機器において、前記メッセージはメディア同期インターフェースメッセージであることを特徴とする。
【００２５】
更に、本発明によるビデオ装置は、上記のビデオ機器において、前記メッセージはブラウザインターフェースメッセージであることを特徴とする。
【００２６】
更に、本発明によるビデオ装置は、上記のビデオ機器において、前記メッセージは録画予約インターフェースメッセージであることを特徴とする。
【００２７】
更に、本発明によるビデオ装置は、上記のビデオ機器において、前記メッセージは第２種の録画予約インターフェースメッセージであることを特徴とする。
【００２８】
更に、本発明によるビデオ装置は、上記のビデオ機器において、前記メッセージはレイアウトインターフェースメッセージであることを特徴とする。
【００２９】
更に、本発明によるビデオ装置は、上記のビデオ機器において、前記メッセージはレイアウトサブインターフェースメッセージであることを特徴とする。
【００３０】
本発明による放送受信蓄積装置は、放送番組を受信するための放送受信コンポーネントと、放送番組を蓄積するための複数の放送蓄積コンポーネントと、前記放送蓄積コンポーネントを管理するための管理コンポーネントと、前記放送受信コンポーネントと、前記複数の放送蓄積コンポーネントと、前記管理コンポーネントとを接続するネットワークと、を備え、前記複数の放送蓄積コンポーネントは当該放送蓄積コンポーネントの状態を前記ネットワークを通して前記管理コンポーネントに送信し、前記管理コンポーネントは前記状態を蓄積し、前記放送受信コンポーネントは、前記ネットワークを通して前記管理コンポーネントより得た状態を基に、前記複数の放送蓄積コンポーネントから１又は２以上の蓄積コンポーネントを前記放送受信コンポーネントが受信する放送番組を蓄積する放送蓄積コンポーネントとして選択することを特徴とする。
【００３１】
また、本発明による放送受信蓄積装置は、放送番組を受信するための放送受信コンポーネントと、放送番組を蓄積するための複数の放送蓄積コンポーネントと、前記放送受信コンポーネントと、前記複数の放送蓄積コンポーネントとを接続するネットワークと、を備え、前記放送受信コンポーネントは、前記ネットワークを通して前記放送蓄積コンポーネントより得た状態を基に、前記複数の放送蓄積コンポーネントから１又は２以上の蓄積コンポーネントを前記放送受信コンポーネントが受信する放送番組を蓄積する放送蓄積コンポーネントとして選択することを特徴とする。
【００３２】
本発明による放送蓄積表示装置は、放送番組を蓄積するための複数の放送蓄積コンポーネントと、放送番組を表示するための放送表示コンポーネントと、前記複数の放送蓄積コンポーネントに蓄積されている番組の情報を管理するための管理コンポーネントと、前記複数の放送蓄積コンポーネントと、前記放送表示コンポーネントと、前記管理コンポーネントとを接続するためのネットワークと、を備え、前記複数の放送蓄積コンポーネントは、蓄積している放送番組の情報を前記管理コンポーネントに送信し、前記管理コンポーネントは前記情報を蓄積し、前記放送表示コンポーネントは、前記管理コンポーネントより前記ネットワークを通して得た前記情報を基に、前記複数の放送蓄積コンポーネントから１又は２以上のコンポーネントを前記放送表示コンポーネントが表示する放送番組を再生する放送蓄積コンポーネントとして選択することを特徴とする。
【００３３】
また、本発明による放送蓄積表示装置は、放送番組を蓄積するための複数の放送蓄積コンポーネントと、放送番組を表示するための放送表示コンポーネントと、前記複数の放送蓄積コンポーネントと、前記放送表示コンポーネントとを接続するためのネットワークと、を備え、前記放送表示コンポーネントは、前記複数の放送蓄積コンポーネントより前記ネットワークを通して得た前記複数の放送蓄積コンポーネントに蓄積されている放送番組の情報を基に、前記複数の放送蓄積コンポーネントから１又は２以上のコンポーネントを前記放送表示コンポーネントが表示する放送番組を再生する放送蓄積コンポーネントとして選択することを特徴とする。
【００３４】
本発明によるビデオシステムは、ネットワークと、該ネットワークに接続されている複数のビデオ機器と、を備え、前記ビデオ機器の１がトリガ待機状態に設定され、他の１又は２以上の前記ビデオ機器がプレース状態に設定され、トリガが発生したときに、前記トリガ待機状態に設定されたビデオ機器が前記トリガに対応するメッセージを前記他の１又は２以上のビデオ機器に送り、該他の１又は２以上のビデオ機器が前記メッセージに対応した動作を開始することを特徴とする。
【００３５】
また、本発明によるビデオシステムは、上記のビデオシステムにおいて、前記トリガと前記メッセージとの対応関係は、待機状態に設定されるビデオ機器に送られる他のメッセージにより決定されることを特徴とする。
【００３６】
更に、本発明によるビデオシステムは、上記のビデオシステムにおいて、前記メッージと前記動作との対応関係は、プレース状態に設定されるビデオ機器に送られる他のメッセージにより決定されることを特徴とするビデオシステム。
【発明の効果】
【００３７】
以上述べたごとく本発明による放送蓄積視聴装置では、放送受信装置、放送蓄積装置、放送視聴装置をそれぞれ一つ以上持ち、各装置間をネットワークで結ぶ。またネットワーク上に一つのネットワーク管理装置を持ち、この装置がネットワーク上の他の装置の状態を常に保持する。ネットワーク管理装置以外の他の装置は、ネットワークを介して他の装置と通信を行い何らかの処理を行う場合には、特定の装置との通信でない限り、必ずネットワーク管理装置に自分がどの装置と通信を行えば良いかを問い合わせる。各装置は、ネットワーク管理装置からの応答結果を基に指示された装置と通信を行い必要な処理を完了させる。各装置が処理を行うもしくは行った結果、装置内の状態に変更を生じた場合には、その状態の変更をネットワーク管理装置に通知する。
【００３８】
従って、本発明による放送蓄積視聴装置の利用者の要求に基づき、ネットワークに接続されたビデオ装置のうちから必要な装置を自動的に選択することができ、利用者が自らビデオ装置を選択する手間を省略することができる。
【００３９】
また、本発明による放送蓄積視聴装置の利用者は、放送装置の追加の際に、それをネットワークに接続するだけでよく、特別な設定をする必要がない。
【発明を実施するための最良の形態】
【００４０】
以下、本発明の実施形態による放送蓄積視聴装置を図面を参照して詳細に説明する。
【００４１】
図１は、本実施形態による放送蓄積視聴装置の構成図である。本装置は、放送受信装置１、２と、放送蓄積装置３、４と、放送視聴装置５、６と、ネットワーク管理装置７と、これらを接続するネットワークからなる。放送受信装置９、１０は各々アンテナ等９、１０から放送番組を受信し、接続されたネットワーク８を通じて放送番組を放送蓄積装置３又は４に出力する。放送蓄積装置３及び４は入力した放送番組の蓄積を行う。放送蓄積装置３及び４に蓄積された放送番組はネットワーク８を通じて放送視聴装置５又は６に出力され、放送視聴装置５及び６では入力された放送番組の映像の表示、音声の出力を行う。放送受信装置１、２、放送蓄積装置３、４、放送視聴装置５、６を総称してビデオ装置と称する。また、広義にはネットワークにメッセージを送信したりネットワークからメッセージを受信するという意味で、ネットワーク管理装置７もビデオ装置に含まれる。
【００４２】
ネットワークとしては、例えば、ＩＰ（インターネットプロトコル）をベースとしたものやＩＥＥＥ１３９４に準拠したものが選択される。
【００４３】
放送蓄積装置３及び４としては、例えば大容量のハードディスクなどが想定される。
【００４４】
またネットワーク管理装置７は、接続されているネットワーク８上の各装置の情報を管理する。管理される情報は、接続されている装置の識別番号、接続されている装置の機能情報、接続されている装置の状態などである。ネットワーク８に、ある装置が接続された場合、その装置はまず、ネットワーク管理装置７に対して自分の装置が持つ機能(例えば、映像視聴装置であり、NTSCのTVとして機能する等)を通知する。通知を受けたネットワーク管理装置７は、ネットワーク８内でのその装置の唯一性を保証するようにその装置に対して識別番号を与え、以後、その装置がネットワークに接続されている限り、識別番号と機能情報を組にして管理する。また、ある装置がネットワーク８に接続された時点から切り離される時点まで、機器の状態に変化があった場合にも、いつでも識別番号と共に管理する。つまり、機器は状態変化があったときにそれを自己の識別番号と共にネットワークに送出し、ネットワーク管理装置７はそれを受信して内部で管理する。ネットワーク管理装置７は、ネットワーク８上に接続されたどこかの装置から要求があった場合には、その装置に対して他の装置がどのような機能と状態を持つかを通知する。要求をおこなった側では、他の装置に関して通知された機能と状態に応じて、自分でどの装置と通信をして必要な処理を行えば良いかを自立的に決定して、通信を確立し、その装置との通信を開始する。またネットワーク管理装置７や各装置で管理や通知する状態には、「利用可能である」、「将来予約されている」、「利用不能である(及び、その理由)」といったその装置の利用可能性に関する情報である。
【００４５】
例えば、放送受信装置１が受信した放送番組を放送蓄積装置３及び４のうち現在利用可能なものに30分の間だけ蓄積したい、といった場合には、まず放送受信装置１がネットワーク管理装置７に対して接続されている装置の一覧を要求し、受信した一覧を見て利用可能な放送蓄積装置３（又は４）を選択し、選択した放送蓄積装置３（又は４）に対してこれから30分の間だけ番組を蓄積するように要求する。例えば、放送蓄積装置３は既に蓄積された量が多く新たな録画が不可能な場合でも、放送蓄積装置４の蓄積容量に余裕があれば、自動的に後者を選択し放送を録画する。
【００４６】
また、ネットワーク管理装置７は、放送蓄積装置３及び４内にどのような放送番組を蓄積済みで利用可能であるかを情報として他の装置に提供する。例えば、「1997年1月7日19時20分から1997年1月7日20時0分までの6chで放送された番組が放送蓄積装置３で再生可能である」といった情報を提供する。この情報は、例えば、放送視聴装置５が「1997年1月7日19時30分から1997年1月7日19時50分まで6chで放送された番組を蓄積している装置はないか」といった問い合わせを視聴者の操作に基づいてネットワーク８に発行して、ネットワーク８をから得られるこれに関する情報より放送蓄積装置３及び４のうちのどちらと接続すれば要求した部分を取得できるかを決定する際に用いられる。
【００４７】
この方法には二通りある。
【００４８】
一つは、放送蓄積装置３及び４がネットワーク８に新たに接続された時と新たな放送番組を蓄積した時に、その装置に蓄積されている放送番組の情報をネットワーク管理装置７に蓄積し、各装置は必要に応じてネットワーク管理装置７に蓄積済みの番組一覧取得もしくは検索の要求を出して、放送蓄積装置３及び４のうちどちらに必要な番組が格納されているかを知るという方法である。
【００４９】
もう一つは、放送蓄積装置３及び４のみがその装置に蓄積されている番組の情報を保持し、ある装置が特定の番組の情報を得たい場合には、ネットワーク８上に接続されている全ての放送蓄積装置に対して番組一覧取得もしくは検索の要求を出して、どの放送蓄積装置に必要な番組が格納されているかを知るという方法である。
【００５０】
いずれの方法であっても本装置の利用者は、どの装置に自分が要求する番組が格納されているかを意識する必要はなく、ネットワーク８が自律的に番組の格納されている放送蓄積装置と、視聴者が利用している放送視聴装置をネットワーク８上で論理的に接続し、視聴者の要求する番組を再生することが可能となる。
【００５１】
また、同様に放送蓄積装置蓄積情報に蓄積されている番組のシーン毎のカテゴリを蓄積情報に加え、視聴者が要求したカテゴリの番組のシーンを再生する放送蓄積装置を自動的に選択するようにすることができる。番組のカテゴリは、放送されてくる番組のビデオ信号の垂直消去期間に埋め込まれた形態で送信されてきたり、インターネットで番組と同時に送信されてきたりするので、それらを受信する装置を放送蓄積装置が備えることにより、上記のことが実現できる。
【００５２】
また、ある装置が接続された場合、その装置はまず、ネットワーク管理装置に対して自分の装置が持つ機能を通知し、通知を受けたネットワーク管理装置は、ネットワーク内でのその装置の唯一性を保証するようにその装置に対して識別番号を与え、以後、その装置がネットワークに接続されている限り、識別番号と機能情報を組にして管理するので、本装置の利用者は、自分自身により特別な設定を行うことなく本装置上の各装置を増設することが可能である。例えば、番組蓄積容量を増やすためにあらたに放送蓄積装置を増設したり、同時に別々な番組を視聴可能にするために放送視聴装置を増設する際に、利用者は接続以外の何の設定もしなくてすむ。
【００５３】
以上の説明では、放送蓄積装置の選択を例にとったが、放送受信装置の選択、放送視聴装置の選択も、上記と同様にネットワーク８に接続されているネットワーク管理装置７に保持されている各装置の状態に応じて行うことができる。
【００５４】
更に、ネットワークに番組を電話回線などで送出する放送送出装置をネットワーク８や例えばＣＤ−ＲＯＭやＤＶＤなどの再生専用装置に追加してもよい。放送送出装置や再生専用装置もビデオ装置に含まれる。
【００５５】
次に、ネットワークで送受信されるメッセージのフォーマット例について説明する。
【００５６】
メッセージは、ＵＤＰ（User Datagram Protocol）上でのものとする。
【００５７】
このメッセージは、プロトコルヘッダ、メッセージボディ、アディショナルインフォメーションより構成される。プロトコルヘッダは固定長であり、メッセージボディ、アディショナルインフォメーションは可変長である。
【００５８】
プロトコルヘッダは、データの送り元と送り先を特定するために使用される。メッセージボディにはメッセージ本体が記述される。アディショナルインフォメーションはプロトコルヘッダとメッセージボディ内で用いられるＩＥＥＥ１３９４のノード識別子とＩＰ（インターネットプロトコル）との対応付けを行うものである。
【００５９】
プロトコルヘッダには、送り元ノードＩＤ、送り元サブノードＩＤ、送り先ノードＩＤ、送り先サブノードＩＤ、要求番号、メッセージＩＤ、メッセージ長、アディショナルインフォメーション長などが含まれる。
【００６０】
送り元ノードＩＤは、送り元コンポーネントが存在する機器のＩＥＥＥ１３９４上のノードＩＤを表すものである。送り元サブノードＩＤは、送り元コンポーネントの機器内でのローカルなＩＤを表すものである。送り先ノードＩＤは、送り先コンポーネントが存在する機器のＩＥＥＥ１３９４上のノードＩＤを表すものである。送り先サブノードＩＤは、送り先コンポーネントのビデオ機器内でのローカルなＩＤを表すものである。なお、コンポーネントとは、プログラムからＡＰＩ（Application Programming Interface）を介して制御可能なソフトウェアの論理構成単位であり、典型的にはハードウェアとその制御部から成る。コンポーネントの例としては、ＶＣＲとその制御部より成るビデオコンポーネント、ＴＶ受信部とその制御部より成るモニターコンポーネントなどがある。コンポーネントはＵＤＰにより通信する。
【００６１】
要求番号は、要求を出すコンポーネントが個々のメッセージに付ける番号であり、応答するコンポーネントが応答メッセージに同一の要求番号を付与することにより、複数の要求を出すコンポーネントが応答がどの要求に対するものであるかを識別することができる。
【００６２】
メッセージ長はメッセージボディの長さを示し、アディショナルインフォメーション長はアディショナルインフォメーションの長さを示す。
【００６３】
メッセージは、共通インターフェースメッセージ、コンポーネント管理インターフェースメッセージ、第２種のコンポーネント管理インターフェース、リソース管理インターフェースメッセージ、ピン接続インターフェースメッセージ、第２種のピン接続インターフェースメッセージ、ストリーミングインターフェースメッセージ、ファイル管理インターフェースメッセージ、モニターインターフェースメッセージ、メディア同期インターフェースメッセージ、ブラウザインターフェースメッセージ、録画予約インターフェースメッセージ、第２種のコンポーネント管理インターフェース、レイアウトインターフェースメッセージ、レイアウトサブインターフェースメッセージに分類される。
【００６４】
共通インターフェースメッセージは、全コンポーネントが解釈可能な基本的なメッセージであり、これに属するものとして、シャットダウン要求、シャットダウン応答、生存問い合わせ、生存応答、リセット要求、リセット応答がある。メッセージの種類はプロトコルヘッダのメッセージＩＤにより特定される。各種応答には応答内容を表す応答定数が挿入される。応答定数はメッセージボディに含まれる。
【００６５】
シャットダウン要求はコンポーネントを終了するように外部から要求するメッセージであり、シャットダウン応答はこれに対する応答である。生存問い合わせは、コンポーネントが応答可能かどうかを確認するメッセージであり、生存応答はそれに対する応答である。生存応答が所定時間内にない場合には、生存問い合わせをした側は、問い合わせ先のコンポーネントが応答不能状態であるとみなす。リセット要求はコンポーネントの状態をリセットし起動直後の初期状態にするメッセージであり、リセット応答はこれに対する応答である。
【００６６】
コンポーネント管理インターフェースメッセージに属するものとしては、コンポーネント登録要求、コンポーネント登録応答、コンポーネント登録抹消要求、コンポーネント登録抹消応答、コンポーネント検索要求、コンポーネント検索応答、コンポーネント接続要求、コンポーネント接続応答、コンポーネント接続切断要求、コンポーネント接続切断応答がある。
【００６７】
コンポーネント管理メッセージに属する要求を出す際には、コンポーネントのサポートするインターフェースの種類（sort）もメッセージボディに入れて通知する。インターフェースの種類としては、リソースマネージャインターフェース（ネットワーク管理装置インターフェース）、モニタインターフェース、録画インターフェース、レイアウトインターフェース、ブラウザインターフェース、ファイル管理インターフェースがある。種類の下位に副種類（subsort）がある。リソースマネージャの副種類はない。モニタインターフェースに従属する副種類としてテレビチューナ種類、再生種類がある。録画インターフェースに従属する副種類としてテレビチューナ種類、録画種類がある。テレビチューナ種類としては地上波チューナ、ケーブルＴＶチューナ、衛星放送チューナなどがある。再生種類としてはＭＰＥＧ１再生、ＭＰＥＧ２再生、モーションＪＰＥＧ再生などがある。録画種類としてはＭＰＥＧ１記録、ＭＰＥＧ２記録、モーションＪＰＥＧ記録などがある。
【００６８】
コンポーネント登録要求によりリソースマネージャにコンポーネントが登録される。コンポーネント登録要求のメッセージボディには登録するべきコンポーネントのノードＩＤ、サブノードＩＤ、インターフェースの種類、副種類が含まれる。なお、コンポーネント登録要求で複数のコンポーネントを登録することができる。また、同一のコンポーネントに対して、複数の種類を登録でき、同一の種類に対して、複数の副種類を登録できる。
【００６９】
コンポーネント登録応答のメッセージボディには、登録されたコンポーネントの数、それらのノードＩＤ、サブノードＩＤ、及び返値が含まれる。
【００７０】
コンポーネント登録抹消要求のメッセージボディには、抹消するべきコンポーネントの数、それらのノードＩＤ、サブノードＩＤが含まれる。
【００７１】
コンポーネント登録抹消応答のメッセージボディには、抹消されたコンポーネントの数、それらのノードＩＤ、サブノードＩＤ、返値が含まれる。
【００７２】
コンポーネント検索要求は種類と副種類との組を積和の論理式により組み合わせることにより検索するコンポーネントを指定するので、コンポーネント検索要求のメッセージボディには、論理和の入力数と、各論理和入力になる論理積の入力数と、各論理積の入力になる種類と副種類との組とが含まれる。
【００７３】
コンポーネント検索要求のメッセージボディの内部にある種類と副種類とを組み合わせた条件式を設定することにより、例えば、ケーブルＴＶ受信とＭＰＥＧ２デコードが可能なコンポーネントを検索することができる。
【００７４】
コンポーネント検索応答のメッセージボディには、要求に適合したコンポーネントの数、それらのノードＩＤ、サブノードＩＤ、種類、副種類が含まれる。
【００７５】
第２種のコンポーネント管理インターフェースメッセージに属するものとしては、時間指定付コンポーネント検索要求、コンポーネントロック通知、コンポーネントロック応答、コンポーネントアンロック通知、コンポーネントアンロック応答、コンポーネント予約状況取得要求、コンポーネント予約状況取得応答がある。
【００７６】
時間指定付コンポーネント検索要求は種類と副種類との組を積和の論理式により組み合わせることにより検索するコンポーネントを指定するので、コンポーネント検索要求と同様に、時間指定付コンポーネント検索要求のメッセージボディには、論理和の入力数と、各論理和入力になる論理積の入力数と、各論理積の入力になる種類と副種類との組とが含まれる。時間指定付コンポーネント検索要求には、更に、開始年、開始月、開始日、開始時間、開始分、秒、終了年、終了月、終了日、終了時間、終了分、終了秒が含まれる。
【００７７】
コンポーネントロック通知は、年月日と時分秒で指定されるロック開始時間及びロック終了時間とを含む。これを送るコンポーネントは、ロック開始時間からロック終了時間まで予約を受け付けられないことを送信先に通知する。コンポーネントロック応答はコンポーネントロック通知に対する応答であり応答定数を含む。なお、放送蓄積装置は、コンポーネントロック通知のロック終了期間を無限時間とすることにより、残り記録容量が無いことを通知することができる。
【００７８】
コンポーネントアンロック通知は、年月日と時分秒で指定されるアンロック開始時間及びアンロック終了時間とを含む。これを送るコンポーネントは、アンロック開始時間からアンロック終了時間まで予約を受け付けられることを送信先に通知する。コンポーネントアンロック応答はコンポーネントアンロック通知に対する応答であり応答定数を含む。
【００７９】
コンポーネント予約状況取得要求は、予約を有するコンポーネントの状況を要求するものである。これに対する応答であるコンポーネント予約状況取得応答は、応答定数、コンポーネント数、各コンポーネントのノードＩＤ及びサブノードＩＤ、各コンポーネントの予約数、各予約の年月日と時分秒で指定される開始時間及び終了時間を含む。
【００８０】
リソース管理インターフェースメッセージに属するものとして、リソース登録要求、リソース登録応答、リソース登録抹消要求、リソース登録抹消応答、リソース検索要求、リソース検索応答がある。但し、リソースとはコンポーネントから参照可能なデータである。つまり、リソースは、例えば、放送、ファイルなどである。リソースには各コンポーネント内で通し番号が付けられる。
【００８１】
リソース登録要求のメッセージボディには、登録すべきリソースの数、それらの通し番号、名称が含まれる。リソース登録応答のメッセージボディには、登録されたリソースの数、それらの通し番号とエラー定数が含まれる。
【００８２】
リソース登録抹消要求のメッセージボディ部には、抹消すべきリソースの数、それらの通し番号、名称が含まれる。リソース登録削除応答のメッセージボディには、削除されたリソースの数、それらの通し番号とエラー定数が含まれる。
【００８３】
リソース検索要求はリソースの所在を検索するメッセージである。これはリソースマネージャに対して送られる。検索するリソースはＵＲＬにより指定され、このＵＲＬがリソース検索要求のメッセージボディに含まれる。
【００８４】
このＵＲＬはアソシエーション、プロバイダ、データ種類、リソースＩＤより構成される。アソシエーションはプロバイダに依存するリソースＩＤの唯一性を保証する団体を表す記述子である。ＴＶ局の場合には"broadcast"、ユーザローカルの場合には"local"を記述する。プロバイダはリソースの提供者を表す記述子である。アソシエーションが"broadcast"の場合にはイージーインターネット協会（ＥＩＡ）で定義する局コードに準じる。なお、ＣＡＴＶについては特定の範囲の値を割り当てる。データ種類はその後に表現するリソースの種別で、"stream"又は"nonstream"の値をとる。リソースＩＤはリソースの識別子であり、データ種類が"stream"である場合には録画開始時刻と終了時刻を表し、"nonstream"である場合には主に録画開始時刻を表すが、プロバイダ毎の唯一性が保証されればこの限りではない。
【００８５】
放送番組を特定ユーザ環境で録画した場合の、そのリソースに対するＵＲＬのアソシエーションは"broadcast"、プロバイダはＥＩＡで定義する局コード、データ種類は"stream"、リソースＩＤは開始タイムスタンプと終了タイムスタンプである。ビデオをＶＯＤ（video on demand）を用いて配布した場合の、そのリソースに対するＵＲＬのアソシエーションは"vod"、プロバイダはデータ供給者の会社識別子、データ種類は"nonstream"、リソースＩＤはデータ提供者による唯一性を保証する識別子である。ユーザがローカルな環境で作成したビデオのＵＲＬのアソシエーションは"local"、プロバイダはユーザによって唯一性を保証する任意の識別子、データ種類は"stream"、リソースＩＤは開始タイムスタンプと終了タイムスタンプである。
【００８６】
リソース検索応答はリソース検索要求に対する応答メッセージである。リソース検索応答のメッセージボディには、検索されたリソースの数、これらのノードＩＤ、サブノードＩＤ、名称、開始時間、終了時間などが含まれる。
【００８７】
ピン接続インターフェースメッセージとしては、ピンダイレクト接続要求、ピンダイレクト接続応答、ピン接続切断要求、ピン接続切断応答がある。
【００８８】
ピンダイレクト接続要求及びピンダイレクト接続応答は、２つのコンポーネント間でＵＤＰ通信を行うための入力ピンと出力ピンとを用意するメッセージである。ピン接続切断要求とピン接続切断応答は、接続を切断するメッセージである。
【００８９】
ピンダイレクト接続要求は、要求側から応答側に直接ＵＤＰデータ通信の接続交渉を開始する。この要求のメッセージボディには接続ＩＤが含まれる。接続ＩＤはＵＤＰデータを受信するピンの接続番号（ソケットのポート番号）である。
【００９０】
ピンダイレクト接続応答は、ピンダイレクト接続要求に対する応答であり、この応答のメッセージボディには接続ＩＤとエラー定数が含まれる。
【００９１】
ピン接続切断要求は、既に接続されているピン接続を切断するように要求するものである。この要求のメッセージボディには接続ＩＤが含まれる。
【００９２】
ピン接続切断応答は、ピン接続切断要求に対する応答であり、このメッセージボディには応答定数が含まれる。
【００９３】
第２種のピン接続インターフェースメッセージとしては、時間指定付ピンダイレクト接続要求がある。
【００９４】
時間指定付ピンダイレクト接続要求は、ピンダイレクト接続要求に、年月日及び時分秒で指定される録画予約開始時間及び録画予約終了時間を付加したものである。
【００９５】
ストリーミングインターフェースメッセージに属するものとしては、ストリームコントロール要求、ストリームコントロール応答、ストリーム停止要求、ストリーム停止応答、ストリーム再開要求、ストリーム再開応答がある。
【００９６】
ストリームコントロール要求は相手側と自分との間で交信される１秒当たりのデータ転送量、データ転送回数を調整するメッセージであり、ストリームコントロール応答はこれに対する応答メッセージである。ストリーム停止要求は相手の送信を一時的に停止するメッセージであり、ストリーム停止応答はこれに対する応答メッセージである。ストリーム再開要求は停止中の相手の送信を再開させるメッセージであり、ストリーム再開応答これに対する応答メッセージである。
【００９７】
ストリームコントロール要求のメッセージボディには、応答側コンポーネントでデータ受信に使用している接続番号を示す接続ＩＤ、希望する要求側の１回当たりのデータ送信バイト数、希望する要求側の１秒当たりのデータ送信回数、希望する要求側の１回当たりのデータ受信量、希望する要求側の１秒当たりのデータ受信回数が含まれる。
【００９８】
ストリームコントロール応答のメッセージボディには、応答定数、希望する応答側の１回当たりのデータ送信バイト数、希望する応答側の１秒当たりのデータ送信回数、希望する応答側の１回当たりのデータ受信量、希望する応答側の１秒当たりのデータ受信回数が含まれる。
【００９９】
ストリーム停止要求とストリーム再開要求のメッセージボディには、接続ＩＤが含まれる。ストリーム停止応答とストリーム再開応答のメッセージボディには応答定数が含まれる。
【０１００】
ファイル管理インターフェースメッセージに属するものとしては、ファイル読み出し要求、ファイル読み出し応答、ファイル書き込み要求、ファイル書き込み応答、ファイルリスト追加要求、ファイルリスト追加応答、ファイルリスト削除要求、ファイルリスト削除応答がある。
【０１０１】
ファイル読み出し要求は応答側のファイルマネージャ（放送蓄積装置）が管理するリソースを要求側に送信するように要求するメッセージであり、ファイル読み出し応答はこれに対する応答メッセージである。ファイル書き込み要求は要求側のリソースを応答側のファイルマネージャに送信するメッセージであり、ファイル書き込み応答はこれに対する応答である。ファイルリスト追加要求は応答側のファイルマネージャにリソースを登録するメッセージであり、ファイルリスト追加応答はこれに対する応答である。ファイルリスト削除要求は応答側のファイルマネージャに登録されているリソースを登録から削除するメッセージであり、ファイルリスト削除応答はこれに対する応答メッセージである。
【０１０２】
ファイル読みだし要求のメッセージボディには、接続ＩＤ、リソース名が含まれる。ファイル読み出し応答のメッセージボディには、応答定数が含まれる。ファイル書き込み要求のメッセージボディには、接続ＩＤ、送信側で登録されているリソース名であるＵＲＬが含まれる。ファイル書き込み応答のメッセージボディには、応答定数が含まれる。ファイルリスト追加要求のメッセージボディには、追加すべきリソースの数、それらの要求側コンポーネント内での一時通し番号である内部ＩＤ、それらのソース名が含まれる。ファイルリスト追加応答のメッセージボディには、追加したリソースの数、それらの内部ＩＤ、応答定数が含まれる。ファイルリスト削除要求のメッセージボディには、削除すべきリソースの数、それらの内部ＩＤと名称が含まれる。ファイルリスト削除応答のメッセージボディには、削除されたリソースの数、それらの内部ＩＤ、応答定数が含まれる。
【０１０３】
モニターインターフェースメッセージに属するものとしては、シナリオ新規作成要求、シナリオ新規作成応答、シナリオ削除要求、シナリオ削除応答、シーン追加要求、シーン追加応答、シーン削除要求、シーン削除応答、シーン挿入要求、シーン挿入応答、シーン登録数取得要求、シーン登録数取得応答、シーン取得要求、シーン取得応答、再生開始要求、再生開始応答、再生停止要求、再生停止応答、再生一時停止要求、再生一時停止応答、再生位置変更要求、再生位置変更応答、再生再開要求、再生再開応答、シーン移動要求、シーン移動応答、再生速度変更要求、再生速度変更応答、再生状態取得要求、再生状態取得応答がある。
【０１０４】
シナリオ新規作成要求はシナリオを新規作成するメッセージであり、シナリオ新規作成応答はこれにたいする応答メッセージである。なお、シナリオとは、再編成番組（ユーザが１つ以上の番組の一部を結合して編成した番組）の最初から最後までの全てを指し、これは複数のシーンより構成される。シーンは再編成番組の連続した放送部分を指し、複数のショットより構成される。ショットは録画された内容のあるファイルを指す。シナリオ削除要求はシナリオを削除するメッセージであり、シナリオ削除応答はこれに対する応答である。シーン追加要求はシナリオの最後尾に新たなシーンを追加するためのメッセージである、シーン追加応答はこれに対する応答メッセージである。シーン削除要求はシナリオから指示されたシーンを削除するためのメッセージであり、シーン削除応答はこれに対する応答メッセージである。シーン挿入要求はシナリオの任意の場所にシーンを挿入するためのメッセージであり、シーン挿入応答はこれに対する応答メッセーッジである。シーン登録数取得要求はシナリオに登録されているシーンの数を取得するためのメッセージであり、シーン登録数取得応答はこれに対する応答メッセージである。シーン取得要求は指定された順番のシーンを１つ取得するためのメッセージであり、シーン取得応答はこれに対する応答メッセージである。再生開始要求は作成したシナリオを先頭から再生するためのメッセージであり、再生開始応答はこれに対する応答メッセージである。再生停止要求は再生中のシナリオを停止するためのメッセージであり、再生停止応答はこれに対する応答メッセージである。再生一時停止要求は再生中のシナリオを一時停止するためのメッセージであり、再生一時停止応答はこれに対する応答メッセージである。再生位置変更要求はシナリオの再生位置を指定された時間に変更するためのメッセージであり、再生位置変更応答はこれに対する応答メッセージである。再生再開要求は停止／一時停止中のシナリオの再生を再開するためのメッセージであり、再生再開応答はこれに対する応答メッセージである。シーン移動要求はシナリオの再生位置を指定されたシーンの先頭に変更するメッセージであり、シーン移動応答はこれに対する応答メッセージである。再生速度変更要求はシナリオの再生速度及び方向を変更するためのメッセージであり、再生速度変更応答はこれに対する応答メッセージである。再生状態取得要求はシナリオの再生状態を取得するためのメッセージであり、再生状態取得応答はこれに対する応答メッセージである。
【０１０５】
シナリオ新規作成要求のメッセージボディには何も含まれなくてもよい。シナリオ新規作成応答のメッセージボディには応答定数と、モニターコンポーネントで内部的に扱うそのシナリオに割り当てられた登録番号であるシナリオ番号が含まれる。シナリオ削除要求のメッセージボディには、削除すべきシナリオのシナリオ番号が含まれる。シナリオ削除応答のメッセージボディには応答定数が含まれる。シーン追加要求のメッセージボディには、シーンを追加すべきシナリオのシナリオ番号、追加するシーンのＵＲＬが含まれる。シーン追加応答のメッセージボディには、応答定数と登録したシーンのシナリオ内での順番であるシーン番号が含まれる。シーン削除要求のメッセージボディには、削除すべきシーンを含むシナリオのシナリオ番号、削除するシーンのシーン番号が含まれる。シーン削除応答のメッセージボディには、応答定数が含まれる。シーン挿入要求のメッセージボディには、シーンを追加すべきシナリオのシナリオ番号、シーンの挿入場所を示すシーン番号、シーンのＵＲＬが含まれる。シーン挿入応答のメッセージボディには、応答定数が含まれる。シーン登録数取得要求のメッセージボディには、シーン数を取得したいシナリオのシナリオ番号が含まれる。シーン登録数取得応答のメッセージボディには、指定されたシナリオに含まれるシーン数が含まれる。シーン取得要求のメッセージボディには、シーンを取得したいシナリオのシナリオ番号、取得したいシーンのシーン番号が含まれる。シーン取得応答のメッセージボディには、応答定数、取得したシーンのＵＲＬが含まれる。再生開始要求のメッセージボディには、再生を要求するシナリオのシナリオ番号が含まれる。再生開始応答のメッセージボディには、応答定数が含まれる。再生停止要求のメッセージボディには、停止したいシナリオのシナリオ番号が含まれる。再生停止応答のメッセージボディには、応答定数が含まれる。再生一時停止要求のメッセージボディには、一時停止したいシナリオのシナリオ番号が含まれる。再生一時停止応答のメッセージボディには、応答定数が含まれる。再生位置変更要求のメッセージボディには、再生位置変更を要求するシナリオ番号、ジャンプ時間が含まれる。再生位置変更応答のメッセージボディには応答定数が含まれる。再生再開要求のメッセージボディには、再生の再開を要求するシナリオ番号が含まれる。再生再開応答のメッセージボディには応答定数が含まれる。シーン移動要求のメッセージボディには、シーン移動を要求するシナリオのシナリオ番号、移動先の相対シーン番号が含まれる。シーン移動応答のメッセージボディには、応答定数が含まれる。再生速度変更要求のメッセージボディには、速度変更を要求するシナリオのシナリオ番号、再生速度が含まれる。再生速度変更応答のメッセージボディには、応答定数が含まれる。再生状態取得要求のメッセージボディには、再生状態を要求するシナリオのシナリオ番号が含まれる。再生状態取得応答のメッセージボディには、応答定数、再生状態、時間により表現される現在の再生位置、現在の再生速度が含まれる。再生状態は、例えば、不定状態、再生中、停止中、一時停止中などである。
【０１０６】
メディア同期インターフェースメッセージとしては、トリガ設定要求、トリガ設定応答、プレース設定要求、プレース設定応答、トリガ取消要求、トリガ取消応答、プレース取消要求、プレース取消応答、発火通知がある。
【０１０７】
ここで、プレースとは発火が起こるまで待ち、発火後に特定の動作をする状態のことをいう。複数のコンポーネント間で同期をとるためにはあるコンポーネントにトリガを設定して、他のコンポーネントにプレースを作成する。トリガを設定したコンポーネントではトリガが成立するまで状態を監視し、プレースを作成したコンポーネントでは、発火通知が来るまで、指定された動作をしないで待機する。発火通知が来たときには、処理要求の最後のメッセージに従って処理を開始する。つまり、発火通知前に複数の要求が来たときに、その最も最新のメッセージのみを実行する。
【０１０８】
トリガ設定要求はトリガ（発火条件）を設定するためのメッセージであり、トリガ設定応答はこれに対する応答メッセージである。プレース設定要求はプレースを設定するメッセージであり、プレース設定応答はこれに対する応答メッセージである。トリガ取消要求は既に設定したトリガを取り消すためのメッセージであり、トリガ取消応答はこれに対する応答メッセージである。プレース取消要求は既に設定したプレースを取り消すためのメッセージであり、プレース取消応答はこれに対する応答メッセージである。
【０１０９】
トリガ設定要求には発火後に通知するメッセージを設定することが出来る。また、プレース設定要求には発火時に送られてくるメッセージを設定することができる。
【０１１０】
トリガ設定要求のメッセージボディには、トリガ（発火条件）、発火連絡先のノード、サブノードの組の数、これらのノードＩＤ、サブノードＩＤ、発火後に通知するメッセージが含まれる。トリガ設定応答のメッセージボディには、応答定数が含まれる。プレース設定要求のメッセージボディには、発火時に送られてくる予定のメッセーッジが含まれる。プレース設定応答のメッセージボディには、応答定数が含まれる。トリガ取消要求のメッセージボディには、何もが含まれなくてもよい。トリガ取消応答のメッセージボディには、応答定数が含まれる。プレース取消要求のメッセージボディには、何も含まれなくてもよい。プレース取消応答のメッセージボディには、応答定数が含まれる。発火通知のメッセージボディには、発火に伴って通知する必要のあるユーザ定義のメッセージが含まれる。
【０１１１】
ブラウザインターフェースメッセージに属するものとしては、ブラウザの制御権取得要求、ブラウザの制御権取得応答、ブラウザの制御権返還要求、ブラウザの制御権返還応答、ブラウザのページ表示要求、ブラウザのページ表示応答がある。
【０１１２】
ここでブラウザは放送されてくる番組のビデオ信号の垂直消去期間に埋め込まれた形態で送信されてきたり、インターネットで番組と同時に送信されてきたりする番組関連情報を表示するものであり、視聴装置に備わる。
【０１１３】
ブラウザの制御権取得要求はブラウザコンポーネントの利用開始を要求するメッセージであり、ブラウザの制御権応答はこれに対する応答メッセージである。ブラウザの制御権返還要求はブラウザコンポーネントの使用終了を要求するメッセージであり、ブラウザの制御権返還応答はこれに対する応答メッセージである。ブラウザのページ表示要求はブラウザコンポーネントに表示するＵＲＬを設定するためのメッセージであり、ブラウザのページ表示応答はこれに対する応答メッセージである。
【０１１４】
ブラウザの制御権取得要求のメッセージボディには何も含まれなくてもよい。ブラウザの制御権取得応答のメッセージボディには、応答定数、アクセス用通し番号が含まれる。ブラウザの制御権返還要求のメッセージボディには、アクセス用通し番号が含まれる。ブラウザの制御権返還応答のメッセージボディには、応答定数が含まれる。ブラウザのページ表示要求のメッセージボディには、アクセス用通し番号、フレーム文字列、ＵＲＬが含まれる。フレーム文字列は、ＵＲＬを指示するフレームの識別文字列であり、ここでのＵＲＬはブラウザコンポーネント上のフレーム文字列で指定されるフレームに表示されるＵＲＬである。ブラウザのページ表示応答のメッセージボディには、応答定数が含まれる。
【０１１５】
録画予約インターフェースメッセージとしては、ストリームの予約録画の要求、ストリームの予約録画の応答、ノンストリームの予約録画の要求、ノンストリームの予約録画の応答、予約録画の取消要求、予約録画の取消応答、予約状況一覧の取得要求、予約状況一覧の取得応答がある。
【０１１６】
ここで、ストリームとは途中の一部分だけでも意味を持つソフトウェア単位であり、ファイル名だけでは意味を持たない。ストリームの例としては、映像、音声があげられる。ノンストリームとは先頭から最後までの全部で１つの意味を成すソフトウェア単位であり、ファイル名だけで意味を成す。
【０１１７】
ストリームの予約録画の要求はストリームを予約録画を要求するためのメッセージであり、ストリームの予約録画の応答はこれに対する応答メッセージである。ストリームの予約録画の要求は録画予約コンポーネント（放送受信装置）に対して送信して、これにはチャンネルや録画開始時刻／録画終了時刻を入れる。ストリームの予約録画の要求内容が既に予約済みの内容と重複する場合にはストリーム予約の応答に重複予約である旨を入れる。ノンストリームの予約録画の要求はノンストリームの予約録画を要求するためのメッセージであり、ノンストリームの予約録画の応答はこれに対する応答メッセージである。ノンストリームの予約録画の要求も録画予約コンポーネント（放送受信装置）に対して送信して、これにはＥＩＡに準じた局コードや録画開始時刻／録画終了時刻や予約語のＵＲＬを入れる。ノンストリームの予約録画の要求内容が既に予約済みの内容と重複する場合にはノンストリーム予約の応答に重複予約である旨を入れる。予約録画の取消要求は既に予約した録画予約を取り消すためのメッセージであり、予約録画の取消応答はこれに対する応答メッセージである。予約状況一覧の取得要求は現在予約されている録画番組一覧を要求するメッセージであり、予約状況一覧の取得応答はこれに対する応答メッセージである。予約状況一覧の取得応答には予約録画数、予約番号、録画後のＵＲＬ（ノンストリームの場合）、録画開始時刻、録画終了時刻などが含まれる。
【０１１８】
ストリームの予約録画の要求のメッセージボディには、チャンネル、年月日時分秒よりなる開始時刻、終了時刻が含まれる。ストリームの予約録画の応答のメッセージボディには、応答定数、レコードコンポーネント側で割り当てられた予約番号が含まれる。ノンストリームの予約録画の要求のメッセージボディには、チャンネル、年月日時分秒よりなる開始時刻、終了時刻、録画後のＵＲＬが含まれる。ノンストリームの予約録画の応答のメッセージボディには、応答定数、レコードコンポーネント側で割り当てられた予約番号が含まれる。予約録画の取消要求のメッセージボディには、取り消したい予約番号が含まれる。予約録画の取消応答のメッセージボディには、応答定数が含まれる。予約状況一覧の取得要求のメッセージボディには、何も含まれなくてもよい。予約状況一覧の取得応答のメッセージボディには、予約録画数、各々の予約録画についての予約番号、録画後のＵＲＬ、チャンネル、年月日時分秒よりなる開始時刻、終了時刻が含まれる。
【０１１９】
第２種の録画予約インターフェースメッセージに属するものとしては、ストレージ指定付ストリームの予約録画の要求がある。
【０１２０】
ストレージ指定付ストリームの予約録画の要求には、ストリームの予約録画の要求と同様にチャンネルや録画開始時刻／録画終了時刻を入れる。ストレージ指定付ストリームの
予約録画の要求には、更に、ストレージノード識別子とストレージサブノード識別子を入れる。
【０１２１】
レイアウトインターフェースメッセージに属するものとしては、コンポーネント・ビューの移動要求、コンポーネント・ビューの移動応答、移動要求の中断要求、移動要求の中断応答、移動要求の完了要求、移動要求の完了応答がある。
【０１２２】
ここで、コンポーネント・ビューとは情報入出力部のことであり、主に、出力部のことである。コンポーネントの移動により、コンポーネントの画面上のレイアウトが移動する。又は、物理的なコンポーネントが実際に移動する。後者の例としては、スピーカの前後左右の移動などがある。
【０１２３】
コンポーネント・ビューの移動要求はコンポーネントのビューを移動を要求するメッセージであり、コンポーネント・ビューの移動応答はそれに対する応答メッセージである。コンポーネント・ビューの移動要求には、ノードＩＤ、サブノードＩＤ、開始時刻、終了時刻、移動後の画面上の座標などが含まれる。コンポーネント・ビューの移動要求は移動の対象となるコンポーネントには直接送らず、そのコンポーネントのビューが表示される機器上のレイアウトインターフェースを持つコンポーネントに対して発行される。移動の対象となるコンポーネントは、そのレイアウトインターフェースを持つコンポーネントから、レイアウトサブメッセージを通じて移動メッセージを受け取る。移動要求の中断要求はコンポーネントの移動を途中で中断させるためのメッセージであり、移動要求の中断応答はそれに対する応答メッセージである。移動要求の完了要求はコンポーネントの移動を完了させるため、すなわち、終了時刻に到達すべき移動させるためのメッセージであり、移動要求の完了応答はそれに対する応答メッセージである。
【０１２４】
コンポーネント・ビューの移動要求のメッセージボディには、移動したいコンポーネントのノードＩＤ、サブノードＩＤ、時分秒で表される移動開始時間、移動終了時間、移動開始時間、移動終了時間が絶対時間で表されるか相対時間で表されるかを示す識別フラグ、移動後のコンポーネントの座標、移動後のウィンドウの大きさなどが含まれる。コンポーネント・ビューの移動応答のメッセージボディには、応答定数が含まれる。移動要求の中断要求のメッセージボディには、移動を中断したいコンポーネントのノードＩＤ、サブノードＩＤが含まれる。移動要求の中断応答のメッセージボディには、応答定数が含まれる。移動要求の完了要求のメッセージボディには、移動を完了させたいコンポーネントのノードＩＤ、サブノードＩＤが含まれる。移動要求のメッセージボディには、応答定数が含まれる。
【０１２５】
レイアウトサブインターフェースメッセージに属するものとしては、コンポーネントの移動要求がある。
【０１２６】
コンポーネントの移動要求は、レイアウトインターフェースを持つコンポーネントからその管理下にあるコンポーネントに対して送られる移動を要求するメッセージである。コンポーネントの移動要求のメッセージボディには、移動先の画面上の絶対座標、ビュー（ウィンドウ）の幅、高さが含まれる。
【０１２７】
次に、メッセージの送受信を伴うコンポーネントの動作例について図面を参照しながら説明する。
【０１２８】
図２は、機器の生存確認をするときのメッセーッジのシーケンス図である。
【０１２９】
図２を参照すると、ネットワーク管理装置７は例えば放送蓄積装置の蓄積部の生存確認をするために、生存問い合わせのメッセージを放送蓄積装置に送る。放送蓄積装置はこれに対して生存応答を返送する。
【０１３０】
図３は、ビデオ機器をネットワークに接続したときのビデオ機器とネットワーク管理装置７との間で送受信されるメッセージのシーケンス図である。
【０１３１】
図３を参照すると、ビデオ機器がネットワークに接続されると、ビデオ機器はコンポーネント登録要求をネットワーク管理装置７に送信して自器のネットワークへの登録を要求する。ネットワーク管理装置７はこれに対してコンポーネント登録応答を返送する。コンポーネント登録応答により自器が登録できたことが確認できたならば、次に、ビデオ機器はネットワーク管理装置７にリソース登録要求を送信することにより自器に蓄積されているリソースのネットワークへの登録を要求する。ネットワーク管理装置７はこれに対してリソース登録応答を返送する。
【０１３２】
図４は映像を再生する場合のユーザ端末（ユーザアプリケーション）、ネットワーク管理装置７、放送蓄積装置３又は４との間で送受信されるメッセージのシーケンス図である。
【０１３３】
図４を参照すると、ユーザ端末はユーザ操作によるある映像再生の要求があると、その映像が蓄積されているビデオ機器に関してリソース検索要求をネットワーク管理装置７に送信する。ネットワーク管理装置７は、どのビデオ機器に要求された映像が蓄積されているかの情報の含まれているリソース検索応答をユーザ端末に返す。次に、ユーザ端末はその映像が蓄積されていることがわかった放送蓄積装置との間で映像伝送のための通信路を確保するためにその放送蓄積装置に対してピンダイレクト接続要求を送信する。放送蓄積装置はピンダイレクト接続応答をユーザ端末に返す。ピンダイレクト接続応答により通信路が確保できたことが確認できたならば、ユーザ端末はストリームコントロール要求を放送蓄積装置に送信する。放送蓄積装置はこれに対してストリームコントロール応答を返す。次に、ユーザ端末はファイル読み出し要求を放送蓄積装置に送信する。放送蓄積装置はこれに対してファイル読み出し応答を返す。
【０１３４】
この後に、ピンインターフェースで設定したピンを使ってのバイナリ転送が行われる。
【０１３５】
図５は番組を録画する場合の第１の例のユーザ端末（ユーザアプリケーション）、ネットワーク管理装置７、放送受信装置１又は２、放送蓄積装置３又は４との間で送受信されるメッセージのシーケンス図である。
【０１３６】
図５を参照すると、ユーザ端末はユーザ操作による番組録画の予約があると、その番組の受信予約ができるビデオ機器に関してコンポーネント検索要求をネットワーク装置７に送信する。ネットワーク管理装置７は、どのビデオ機器に要求された番組の受信予約ができるかの情報の含まれているコンポーネント検索応答をユーザ端末に返す。次に、ユーザ端末はその番組の受信予約ができることがわかった放送受信装置に受信予約させるために放送受信装置にストリームの録画予約の要求を送信する。放送受信装置はストリームの予約録画の応答をユーザ端末に返す。
【０１３７】
予約時間が来ると、放送受信装置は番組を蓄積を行うビデオ機器を検索するためにネットワーク管理装置７にコンポーネント検索要求を送信する。ネットワーク管理装置は、どのビデオ機器が番組を蓄積できるかの情報の含まれているコンポーネント検索応答を放送受信装置に返す。次に、放送受信装置は番組を蓄積できることがわかった放送蓄積装置との間で映像転送のための通信路を確保するために放送蓄積装置にピンダイレクト接続要求を送信する。放送蓄積装置はピンダイレクト接続応答を放送受信装置に返す。次に放送受信装置は放送蓄積装置にストリームコントロール要求を放送蓄積装置に送信する。放送蓄積装置はストリームコントロール応答を放送受信装置に返す。次に、放送受信装置は映像を転送するためにファイル書き込み要求を放送蓄積装置に送信する。放送蓄積装置はファイル書き込み応答を放送受信装置に返し、映像の転送が始まる。
【０１３８】
番組の予約受信が終了すると、放送受信装置は通信路を開放するためにピン接続切断要求を放送蓄積装置に送信する。放送蓄積装置はピン接続切断応答を放送受信装置に返す。次に、放送蓄積装置は蓄積した番組をネットワークに登録するためにその番組についての情報が含まれたリソース登録要求をネットワーク管理装置７に送信する。ネットワーク管理装置７はリソース登録応答を放送蓄積装置に返す。
【０１３９】
なお、コンポーネント検索要求、コンポーネント検索応答、ピンダイレクト接続要求、ピンダイレクト接続応答を録画予約時刻が来るまで待ってから送受信するのではなく、これらのメッセージをストリームの予約録画の要求の直後に送受信し、ピンダイレクト接続が確立してから、放送受信装置がユーザ端末にストリーム予約録画の応答（破線で示す）を返すようにしても良い。この場合、ユーザ端末は、放送受信装置及び放送蓄積装置の両者共に予約録画の準備ができたか否かをコンポーネント検索要求を送信した直後に確認することができる。ピンダイレクト接続は、同一のコンポーネントに対して複数設定することが可能で、１のピンダイレクト接続が他のピンダイレクト接続状での通信を妨げるものではないので、録画予約時間がくる前にピンダイレクト接続しても問題はない。例えば、プロトコルとしてＴＣＰ／ＩＰを使用した場合、異なったピンダイレクト接続に異なったポートを割り当てればよい。
【０１４０】
図６は番組を録画する場合の第２の例のユーザ端末（ユーザアプリケーション）、ネットワーク管理装置７、放送受信装置１又は２、放送蓄積装置３又は４との間で送受信されるメッセージのシーケンス図である。
【０１４１】
ネットワーク管理装置は、そこに登録されている各装置の時間単位の予約状況を管理している。予約状況とは、各装置に関し各時刻に処理要求の予約が入る余地があるか否かを示す１ビットの情報である。
【０１４２】
ユーザ端末（ユーザアプリケーション）は、指定時間に受信可能なビデオ機器を検索するために、ネットワーク管理装置に対し、コンポーネント検索要求を送る。ネットワーク管理装置は、コンポーネント検索応答をユーザ端末に返す。ユーザ端末は、コンポーネント検索応答により、指定時間に受信可能な放送受信装置のリストを得る。
【０１４３】
次にユーザ端末は、リスト中のノードＩＤとサブノードＩＤの組の何れかに対応する放送受信装置にストリームの予約録画の要求を送る。なお、ストリームの予約録画の応答内の応答定数の値によりストリームの予約録画の要求を送った放送受信装置が予約受信ができないことがわかったときには、リスト中の別の放送受信装置にストリームの予約録画の要求を送る。全ての放送受信装置が予約受信ができないときには、予約録画の失敗とする。
【０１４４】
次に予約録画が可能な放送受信装置は、ネットワーク管理装置にコンポーネントロック通知を送る。このコンポーネントロック通知には、予約録画開始時間と予約録画終了時間を入れる。次にネットワーク管理装置は、コンポーネントロック応答を当該放送受信装置に返すとともに、コンポーネントロック通知に含まれていた予約録画開始時間と予約録画終了時間の間は当該放送受信装置は新たな予約録画を受け付けられないとして管理する。なお、放送受信装置が複数のチューナを備えていて、新たな予約録画を受け付けられる余地が有る場合には、放送受信装置はコンポーネントロック通知を送信しない。
【０１４５】
次に放送受信装置は、指定時間に放送蓄積が可能なビデオ機器を検索するために、ネットワーク管理装置に対し、時間指定付きコンポーネント検索要求を送る。ネットワーク管理装置は、コンポーネント検索応答をユーザ端末に返す。ユーザ端末は、コンポーネント検索応答により、指定時間に放送蓄積可能な放送蓄積装置のリストを得る。
【０１４６】
次に放送受信装置は、リスト中のノードＩＤとサブノードＩＤの組の何れかに対応する放送蓄積装置に時間指定付ピンダイレクト接続要求を送る。放送蓄積装置は、時間指定付ピンダイレクト接続要求に対するピンダイレクト接続応答を放送受信装置に返す。なお、ピンダイレクト接続応答内の応答定数の値によりピンダイレクト接続要求を送った放送蓄積装置が残り記録容量が不足していたり、時間が重複する別の録画予約が入っているなどの理由で予約録画ができないことがわかったときには、放送受信装置はリスト中の別の放送蓄積装置にピンダイレクト接続要求を送る。全ての放送蓄積装置が予約録画ができないときには、予約録画の失敗とする。
【０１４７】
予約録画が可能な放送蓄積装置は、ピンダイレクト接続応答を返す一方で、ネットワーク管理装置にコンポーネントロック通知を送信し、ネットワーク管理装置は放送蓄積装置にコンポーネントロック要求を返す。
【０１４８】
そして、予約時間が来たときに、予約録画が開始する。
【０１４９】
録画予約終了時間になる前に何らかの理由により録画予約が中止となった場合には、それを何らかの経路で知った放送受信装置は、放送蓄積装置にピンダイレクト切断要求を送り、放送蓄積装置は放送受信装置にピンダイレクト切断応答を返す。放送受信装置は、急遽に新たな録画予約が可能な状態となったので、ネットワーク管理装置にコンポーネントアンロック通知を送り、ネットワーク管理装置は放送受信装置にコンポーネントアンロック応答を返す。同様に、放送蓄積装置は、ネットワーク管理装置にコンポーネントアンロック通知を送り、ネットワーク管理装置は放送蓄積装置にコンポーネントアンロック応答を返す。
【０１５０】
なお、図６のシーケンス図は、ユーザ端末、ネットワーク管理装置並びに予約録画が可能な放送受信装置及び放送蓄積装置の間のメッセージを示すものであり、予約録画を受け付けられない放送受信装置や放送蓄積装置の送受信するメッセージは示していない。
【０１５１】
図７は番組を録画する場合の第３の例のユーザ端末（ユーザアプリケーション）、ネットワーク管理装置７、放送受信装置１又は２、放送蓄積装置３又は４との間で送受信されるメッセージのシーケンス図である。
【０１５２】
ユーザ端末（ユーザアプリケーション）は、指定時間に放送受信可能なビデオ機器及び放送蓄積が可能なビデオ機器を検索するために、ネットワーク管理装置に対し、コンポーネント検索要求を送る。ネットワーク管理装置は、コンポーネント検索応答をユーザ端末に返す。ユーザ端末は、コンポーネント検索応答により、指定時間に放送受信可能な放送受信装置のリスト及び指定時間に放送蓄積可能な放送蓄積装置のリストを得る。
【０１５３】
コンポーネント検索応答のリストに含まれたビデオ機器は、ネットワーク管理装置上で「仮押さえ」の状態になる。「仮押さえ」の状態とは、一定時間（例えば０．０１秒）の間の資源確保の状態のことをいう。資源確保の状態とは、その資源を、以降に資源解除されるまで、当該指定時間を含むコンポーネント検索要求に対するコンポーネント検索応答に含まれない状態のことをいう。あるコンポーネントが「仮押さえ」の状態であるときに、そのコンポーネントからコンポーネントロック通知が来た場合には、資源確保の状態に移行する。コンポーネントロック通知がこない場合には、通常の状態に戻る。
【０１５４】
次にユーザ端末は、リスト中のノードＩＤとサブノードＩＤの組の何れかに対応する放送受信装置にストレージ指定付ストリームの予約録画の要求を送る。なお、ストリームの予約録画の応答内の応答定数の値によりストリームの予約録画の要求を送った放送受信装置が予約受信ができないことがわかったときには、リスト中の別の放送受信装置にストリームの予約録画の要求を送る。全ての放送受信装置が予約受信ができないときには、予約録画の失敗とする。
【０１５５】
次に予約録画が可能な放送受信装置は、ネットワーク管理装置にコンポーネントロック通知を送る。このコンポーネントロック通知には、予約録画開始時間と予約録画終了時間を入れる。次にネットワーク管理装置は、コンポーネントロック応答を当該放送受信装置に返すとともに、当該放送受信装置を資源確保の状態にする。資源確保の状態の期間は、時間指定付コンポーネント検索要求に含まれていたものである。なお、放送受信装置が複数のチューナを備えていて、新たな予約録画を受け付けられる余地が有る場合には、放送受信装置はコンポーネントロック通知を送信しない。
【０１５６】
次に放送受信装置は、ストレージ指定付ストリームの予約録画の要求に含まれているノードＩＤとサブノードＩＤに対応する放送蓄積装置に時間指定付ピンダイレクト接続要求を送る。
【０１５７】
次に、放送受信装置は、ユーザ端末にストリームの予約録画の応答を返す。
【０１５８】
一方で、放送蓄積装置は、ネットワーク管理装置にコンポーネントロック通知を送信し、ネットワーク管理装置は放送蓄積装置にコンポーネントロック要求を返すと同時に、放送蓄積装置を資源確保の状態にする。
【０１５９】
録画予約終了時間になる前に何らかの理由により録画予約が中止となった場合の動作は第２の例と同様である。
【０１６０】
なお、図７のシーケンス図は、ユーザ端末、ネットワーク管理装置並びに予約録画が可能な放送受信装置及び放送蓄積装置の間のメッセージを示すものであり、予約録画を受け付けられない放送受信装置の送受信するメッセージは示していない。
【０１６１】
図８は番組を録画する場合の第４の例のユーザ端末（ユーザアプリケーション）、ネットワーク管理装置７、放送受信装置１又は２、放送蓄積装置３又は４との間で送受信されるメッセージのシーケンス図である。
【０１６２】
図８に示す第４の例が図６に示す第２の例と異なる点は、第２の例で送受信される時間指定付コンポーネント検索要求とコンポーネント検索応答の代わりに第４の例ではコンポーネント検索要求、コンポーネント検索応答、コンポーネント予約状況取得要求、コンポーネント予約状況取得応答が送受信される点である。
【０１６３】
コンポーネント検索要求には、指定時間が含まれず、コンポーネント検索応答には、予約状況とは無関係に予約受信或いは予約録画が可能なコンポーネントが含まれる。一方で、コンポーネント予約状況取得応答には、コンポーネントの種類とは無関係に、予約が可能なコンポーネントとそれぞれのコンポーネントで予約可能な全ての時間帯が含まれる。従って、ユーザ端末や放送受信装置は、コンポーネント検索応答及び予約状況取得応答を基に、適切な放送受信装置や放送蓄積装置を知ることができる。また、ユーザ端末が望む予約録画の時間帯の一部で予約録画が可能な放送受信装置や放送蓄積装置を知ることができ、その時間での予約録画が可能となる。
【０１６４】
図９はメディア同期再生をする場合のユーザ端末（ユーザアプリケーション）、ネットワーク管理装置７、モニタ（動画再生表示装置、不図示）、ブラウザ（不図示）、プラットフォーム（放送視聴装置）との間で送受信されるメッセージのシーケンス図である。なお、これらのビデオ機器はネットワークに接続されている物とする。また、モニタ、ブラウザをプラットフォームに内包させる形態もある。
【０１６５】
なお、メディア同期再生とはあるメディアの状態が変化すると、それに応じて他のメディアの状態が変化するような再生のことをいう。図９の例では、番組表示とブラウザ表示とのメディア同期再生を扱っている。
【０１６６】
図９を参照すると、ユーザ端末はユーザ操作によるメディア同期再生の要求があると、映像表示機能のあるビデオ機器に関してコンポーネント検索要求をネットワーク管理装置７に送信する。ネットワーク管理装置７は、どのビデオ機器に映像表示機能があるかの情報の含まれているコンポーネント検索応答をユーザ端末に返す。次に、ユーザ端末装置は映像表示のシナリオを作成するためにシナリ新規作成要求をモニタに送信する。モニタはシナリオ新規作成応答をユーザ端末に返す。なお、シナリオを作るのはユーザ端末であり、それを実行するのはモニタである。次に、ユーザ端末は映像表示シナリオにシーンを１つ追加するためにシーン追加要求をモニタに送信する。モニタはそれに対してシーン追加応答を返す。次に、ユーザ端末は映像に発火条件を設定するためにトリガ設定要求をモニタに送信する。モニタはそれに対してトリガ設定応答を返す。なお、映像に発火条件を設定するとは、例えば、映像中のある時間や特定のシーンに到達したときに発火するように設定することをいう。
【０１６７】
次に、ユーザ端末はモニタを移動するためにコンポーネント・ビューの移動要求をプラットフォームに送信する。プラットフォームはそれに対してコンポーネント・ビューの移動応答を返し、また、コンポーネントの移動要求をブラウザに送信する。
【０１６８】
次に、ユーザ端末は映像再生を指示するために再生開始要求をモニタに送信する。モニタはそれに対して再生開始応答を返す。モニタは送信されてきた映像信号を復号・再生する。
【０１６９】
次に、映像の再生中に発火条件が成立すると、モニタは発火の通知をユーザ端末に送信する。これを受信したユーザ端末は、ブラウザを検索するためにネットワーク管理装置７にコンポーネント検索要求を送信する。ネットワーク管理装置７は、どのビデオ機器にブラウザ機能があるかの情報が含まれているコンポーネント検索応答をユーザ端末に返す。
【０１７０】
次に、ユーザ端末はブラウザを移動させるためにコンポーネント・ビューの移動要求をプラットフームに送信する。プラットフォームはこれに対しコンポーネント・ビューの移動応答を返し、また、コンポーネントの移動要求をブラウザに送信する。
【０１７１】
次に、ユーザ端末はブラウザへのアクセスを開始するためにブラウザの制御権取得要求をブラウザに送信する。ブラウザはそれに対してブラウザの制御権取得応答を返す。
【０１７２】
次に、ユーザ端末はブラウザに表示するページを変更するために、ブラウザのページ表示要求をブラウザに送信する。ブラウザはこれに対してブラウザのページ表示応答を返す。
【０１７３】
次に、ユーザ端末はページ表示を終了すると判断したときに、ブラウザへのアクセスを終了するためにブラウザの制御権返還要求をブラウザに送信する。ブラウザはこれに対してブラウザの制御権返還応答を返す。
【０１７４】
最後に、ユーザ端末は映像シナリオを終了させるためにシナリオ削除要求をモニタに送信する。モニタはこれに対してシナリオ削除応答を返す。
【図面の簡単な説明】
【０１７５】
【図１】本発明の実施形態による放送蓄積視聴装置の構成を表す図である。
【図２】機器の生存確認をするときのメッセーッジのシーケンス図である。
【図３】ビデオ機器をネットワークに接続したときのビデオ機器とネットワーク管理装置７との間で送受信されるメッセージのシーケンス図である。
【図４】映像を再生する場合の放送視聴装置などのユーザ端末、ネットワーク管理装置、放送蓄積装置との間で送受信されるメッセージのシーケンス図である。
【図５】番組を録画する場合の第１の例の放送視聴装置などのユーザ端末、ネットワーク管理装置、放送受信装置、放送蓄積装置との間で送受信されるメッセージのシーケンス図である。
【図６】番組を録画する場合の第２の例の放送視聴装置などのユーザ端末、ネットワーク管理装置、放送受信装置、放送蓄積装置との間で送受信されるメッセージのシーケンス図である。
【図７】番組を録画する場合の第３の例の放送視聴装置などのユーザ端末、ネットワーク管理装置、放送受信装置、放送蓄積装置との間で送受信されるメッセージのシーケンス図である。
【図８】番組を録画する場合の第４の例の放送視聴装置などのユーザ端末、ネットワーク管理装置、放送受信装置、放送蓄積装置との間で送受信されるメッセージのシーケンス図である。
【図９】メディア同期再生をする場合の放送視聴装置などのユーザ端末、ネットワーク管理装置、モニタ、ブラウザ、プラットフォームとの間で送受信されるメッセージのシーケンス図の前半部である。
【図１０】メディア同期再生をする場合の放送視聴装置などのユーザ端末、ネットワーク管理装置、モニタ、ブラウザ、プラットフォームとの間で送受信されるメッセージのシーケンス図の後半部である。
【図１１】従来例による放送受信装置、放送蓄積装置、放送視聴装置の構成を示す図である。
【符号の説明】
【０１７６】
１、２  放送受信装置
３、４  放送蓄積装置
５、６  放送視聴装置
７  ネットワーク管理装置
８  ネットワーク
９、１０  アンテナ等
【図１】
2008219929.tif 000003
【図２】
2008219929.tif 000004
【図３】
2008219929.tif 000005
【図４】
2008219929.tif 000006
【図５】
2008219929.tif 000007
【図６】
2008219929.tif 000008
【図７】
2008219929.tif 000009
【図８】
2008219929.tif 000010
【図９】
2008219929.tif 000011
【図１０】
2008219929.tif 000012
【図１１】
2008219929.tif 000013